(57)【特許請求の範囲】
【請求項１】
上蓋を開けて中のロール状食品包装フィルムを引き出す家庭用食品包装フィルムのケースであって、磁力で冷蔵庫等にケースを固定する固定具を装着するための挿入口がケース裏面の中央よりも上部に設けられており、前記固定具は、可撓性のある材料で細長く形成され、両端に挿入部が形成され、表面に磁石が取り付けられており、表面と裏面は上端から下端に行くに従って互いに近づくように一方の面が他方の面に対して相対的に傾斜し、且つケースに着脱自在に取り付けられていることを特徴とする家庭用食品包装フィルムのケース
【請求項２】
固定具の裏面に複数の縦溝が設けられている請求項１記載の家庭用食品包装フィルムのケース
【発明の詳細な説明】
【０００１】
【発明の属する技術分野】
本発明は家庭用食品包装フィルムのケースに関する。
【０００２】
【従来の技術】
従来の斯種ケースの固定具としては、ティッシュペーパーのケースを冷蔵庫等に固定するための固定具が存在している。この固定具は、プラスチックで均一の厚みの板状に細長く形成され、両端に挿入部を有し、表面に磁石が取り付けられている構成である。
【０００３】
次に、従来品のティッシュペーパーのケースとその固定具の使用法を説明する。ティッシュペーパーのケースの底面中央の長手方向に沿って２つの挿入口が設けられており、固定具を撓ませて両端の挿入部を挿入口に挿入する。この操作によって固定具はケース底面の中央を長手方向に延びるように取り付けられる。そして、ティッシュペーパーのケースの底面を冷蔵庫に宛てがうことによって、固定具に装着されている磁石の磁力によって冷蔵庫の表面にケースを固定する。
【０００４】
【発明が解決しようとする課題】
ティッシュペーパーのケースは、ティッシュペーパーの取り出し口がケースの中央に設けられており、固定具もケース底面の中央を長手方向に延びるように取り付けられる。したがって、ティッシュペーパーをケースから取り出すためにティッシュペーパーを引っ張る力は、固定具を通り固定具に対して垂直方向に加わることになる。磁石は、その吸着面を通り吸着面に垂直方向の力に対して非常に強い吸着力が働くので剥がしにくい性質がある。したがって、ケースからティッシュペーパーを取り出すときにその力は固定具を通るので、ケースが冷蔵庫等から離れて落ちる虞がほとんどないのである。
【０００５】
ところが、ロール状に巻かれた食品包装フィルムのケースのときは、ケースの上蓋を開いてそこからフィルムを取り出すのである。したがって、フィルムを引っ張る力はケースの上端に働くから、ケースの中央に装着した固定具に対して力は垂直方向であるが固定具から離れた所を通っている。このために、固定具に対して比較的大きなモーメントが働いて固定具が冷蔵庫から離れ、ケースが落ちるのである。さらに、ロール状に巻かれた食品包装フィルムのケースの場合は、固定具の挿入口が中央にあると固定具の挿入部が中のフィルムに当たるので挿入しずらく、装着した固定具がフィルムを押さえるのでフィルムを円滑に引き出すことができない。
【０００６】
そこで本発明は、家庭用食品包装フィルムのケースのようにフィルム等を引っ張る力がケースの上端に働いても、ケースが冷蔵庫等から離れて落ちることを防止できる固定具を提供することを目的とする。さらに本発明は、家庭用食品包装フィルムのケースであって固定具を用いて冷蔵庫等に固定したときに、フィルムを引き出してもケースが冷蔵庫から落ちづらく、ケースを安定させた状態でフィルムを円滑に引き出すことができるケースを提供することを目的とする。
【０００７】
【課題を解決するための手段】
本発明の請求項１は、上蓋を開けて中のロール状食品包装フィルムを引き出す家庭用食品包装フィルムのケースであって、磁力で冷蔵庫等にケースを固定する固定具を装着するための挿入口がケース裏面の中央よりも上部に設けられており、前記固定具は、可撓性のある材料で細長く形成され、両端に挿入部が形成され、表面に磁石が取り付けられており、表面と裏面は上端から下端に行くに従って互いに近づくように一方の面が他方の面に対して相対的に傾斜し、且つケースに着脱自在に取り付けられている構成である。請求項２は、固定具の裏面に複数の縦溝が設けられている要素が請求項１に限定的に付加された構成である。
【０００８】
【発明の効果】
請求項１は、、磁力で冷蔵庫等にケースを固定する固定具を装着するための挿入口がケース裏面の中央よりも上部に設けられており、前記固定具は、可撓性のある材料で細長く形成され、両端に挿入部が形成され、表面に磁石が取り付けられており、表面と裏面は上端から下端に行くに従って互いに近づくように一方の面が他方の面に対して相対的に傾斜し、且つケースに着脱自在に取り付けられている構成である。従来のように固定具が均一の厚みであるときは、ケースが固定具の厚みの分だけ冷蔵庫等の表面から浮くので、中のフィルムを引き出すときにケースがガタついてケースが落ちやすい。挿入口がケース裏面の中央よりも上部に設けられていればケースのガタつきが顕著である。請求項１は、固定具の表面と裏面が上端から下端に行くに従って互いに近づく構成であるから、ケースを冷蔵庫等に固定したときに、ケース裏面の下端は冷蔵庫等の表面に接触するか又はかなり接近するので、フィルムをケースから引き出すときにケースがガタつくことを効果的に防止できる。
【０００９】
請求項２は、固定具の裏面に複数の縦溝が設けられている構成である。したがって、固定具を撓み易くすることができる。
【００１０】
【発明の実施の形態】
次に本発明の実施の形態を図面に従って説明する。ケース１はロール状家庭用食品包装フィルムのケースであって紙製であり断面はほぼ正方形である。上面の蓋２を開いてフィルムを引き出し、蓋２の縁に取り付けられたカッター（図示せず。）によってフィルムを所定の長さに切断する。ケースの裏面３の中央よりも上部に、固定具４の挿入部５，５を挿入するための挿入口６，６が設けられている。
【００１１】
固定具４はプラスチックで細長く形成され、両端に幅の狭い挿入部５，５が形成されている。固定具の表面９の両端付近にそれぞれ凹部１２が設けられ、それらの中に磁石７，７が嵌合されている。磁石７，７と凹部１２を結合するために接着剤は使用されておらず、粘着シート８，８によって磁石７，７及びその周囲の固定具表面が被覆されている。この粘着シート８，８によって磁石７，７は確実に凹部１２内に固着される。また、接着剤を用いていないから、固定具の挿入部５，５を挿入口６，６に挿入する際に固定具を撓ませたときに、硬化した接着剤が割れて磁石が凹部から外れるような不都合が生じない。
【００１２】
磁石２は薄い矩形に形成されている。磁石の形状が矩形に限定されないことは勿論であって、例えば矩形であってもよい。磁石２はフェライト磁石のような比較的磁力の強い磁石を用いることが好ましいがこれに限定されるものでなく、他の磁石、例えばＭＫ鋼や新ＫＳ鋼などであってもよい。磁石の大きさは、円形のときは通常１０ｍｍ程度の直径であるがこれに限定されることはなく、例えば５ｍｍから３０ｍｍ程度の大きさのものが使用される。正方形のときも同様である。長方形のときは通常縦が１０ｍｍ程度で横が１４ｍｍ程度であるがこの数値に限定されないことは勿論であって、例えば縦が５ｍｍから２０ｍｍ程度で横が６ｍｍから３０ｍｍ程度までの大きさであってもよい。
【００１３】
固定具の表面９と裏面１０は下方に行くに従って徐々に近づいている。固定具４を撓み易くするために、図７及び図８に示したように固定具の裏面１０に複数の縦溝１１を設けてもよい。あるいは、固定具４の上縁と下縁の双方あるいはいずれか一方を内向きの円弧状とし、固定具の幅を中心に近づくに従って徐々に狭くしてもよい。
【００１４】
次に本発明の使用方法について説明する。ケースの裏面３と固定具の裏面１０が合わさるようにして、固定具を撓ませながらその挿入部５，５をケースの挿入口６，６に挿入する。次に、固定部の表面９を冷蔵庫１３に宛てがい磁石７，７の磁力によってケース１を固定する。フィルム１４を取り出すときは蓋２を開き両手でフィルム１４の端を持って手前に引っ張る。それから、片手で蓋２を押さえながら蓋に付いているカッターでフィルムを切断する。
【図面の簡単な説明】
【図１】本発明の斜視図
【図２】本発明の使用状態を示す断面図
【図３】固定具の表面図
【図４】固定具の裏面図
【図５】図３におけるＡ−Ａ断面端面図
【図６】図３におけるＢ−Ｂ断面端面図
【図７】他の実施例の固定具の裏面図
【図８】図７におけるＣ−Ｃ断面端面図
【符号の説明】
１  ケース
２  蓋
３  裏面
４  固定具
５  挿入部
６  挿入口
７  磁石
８  粘着シート
９  固定具の表面
１０  固定具の裏面
１１  縦溝
１２  凹部
１３  冷蔵庫
１４  フィルム
【図１】
0003604673.tif 000002
【図２】
0003604673.tif 000003
【図３】
0003604673.tif 000004
【図４】
0003604673.tif 000005
【図５】
0003604673.tif 000006
【図６】
0003604673.tif 000007
【図７】
0003604673.tif 000008
【図８】
0003604673.tif 000009